(57)【要約】      （修正有）【課題】地面から杭要素を引き抜くための方法及び装置を提供する。【解決手段】地中の杭要素の位置及び／又は配置が、検出ユニットにより測定され、測定位置に従って、杭要素の上端まで達する第１のボアが第１の掘削工具により作成され、外側ガイド管により取り囲まれる。第１掘削工具を引き抜くとき、ガイド管は地中に残され、中空ドリルシャンクを有する第２の掘削工具が、ガイド管を通して杭要素まで運ばれる。杭要素は第２掘削工具により少なくとも部分的に外周掘削され、ドリルシャンク内に取り込まれ、地面から引き抜かれる。杭要素を地面から、引き抜くための装置はガイド管を含み、ガイド管は、マストにて回転可能に配置され、且つ、前記杭要素の出口開口を作成するために地中に挿入可能である。装置には、少なくとも１つの検出ユニットが設けられており、検出ユニットは、地中の杭要素の位置及び／又は配置を測定するように設計されている。【選択図】図１
2018021444.tif 000002
【特許請求の範囲】
【請求項１】
杭要素を地面から引き抜く方法であって、
‐地中の前記杭要素の位置及び／又は配置を検出ユニットにより測定するステップと、
‐前記測定された位置及び／又は配置に従って、第１の掘削工具による第１のボアを、前記杭要素の上端まで実現させ、前記第１ボアが、外側ガイド管により覆われたボアとして実現されるステップと、
‐前記第１掘削工具を引き抜くときに前記ガイド管が地中に残されるステップと、
‐中空のドリルシャンクを有する第２の掘削工具を、前記ガイド管を通して前記杭要素まで運ぶステップと、
‐前記杭要素を前記第２掘削工具により少なくとも部分的に外周掘削し、且つ、前記杭要素を前記ドリルシャンク内に取り込むステップと、
‐前記外周掘削された杭要素を前記地面から引き抜くステップとを含む、杭要素を地面から引き抜く方法。
【請求項２】
前記地中における前記杭要素の位置及び／又は配置を測定するために、少なくとも１つの音響ボアホールを、前記杭要素を取り囲む領域に設け、当該ボアホール内に少なくとも１つのセンサを導入し、当該センサが前記検出ユニットに接続され、且つ前記杭要素の位置及び／又は配置データを前記検出ユニットに提供し、これにより、前記検出ユニットが、前記杭要素の位置及び／又は配置を、前記提供されたデータに基づいて測定する、請求項１に記載の装置。
【請求項３】
少なくとも３つのセンサが地中に導入され、前記導入されたセンサの、特には前記検出ユニットによる測定信号の三角測量、又は、それぞれの組合せを用いて、地中の前記杭要素の配置及び／又は位置を特に正確に測定できる、請求項１に記載の方法。
【請求項４】
前記杭要素が、前記第２掘削工具と共に前記ドリルシャンク内で、前記ガイド管を通して地面から引き抜かれる、請求項１に記載の方法。
【請求項５】
前記杭要素を引き抜く前に、前記杭要素を取り囲んでいる土壌材料が、少なくとも前記第２掘削工具により緩められる、請求項１に記載の方法。
【請求項６】
前記第２掘削工具が、ねじることにより前記杭要素と共に地面から引き出され、それにより、地中に出現する穴が、土壌材料で少なくとも或る程度満たされる、請求項１に記載の方法。
【請求項７】
前記第２掘削工具が前記杭要素と共に回転されずに地面から引き出される、請求項１に記載の方法。
【請求項８】
杭要素を地面から引き抜くための装置であって、
‐マストが配置された支持フレームと、
‐前記マストにて回転可能に駆動可能であるように配置され、且つ、前記杭要素の出口開口を作成するために地中に挿入可能なガイド管と、
‐前記杭要素の上にある、少なくとも前記ガイド管内の土壌材料を除去するように設計された第１の掘削工具と、
‐前記杭要素を少なくとも部分的に受け入れるように設計された中空のドリルシャンクを含む第２の掘削工具であって、前記ガイド管を通してほぼ同軸状に前記杭要素に運ばれることができる第２掘削工具と、
‐地中の前記杭要素の位置及び／又は配置を測定するように設計された少なくとも１つの検出ユニットと、を備えた杭要素を地面から引き抜くための装置。
【請求項９】
前記第１掘削工具及び／又は前記第２掘削工具がドリルフライトを含み、これにより、少なくとも前記第２の掘削工具が、前記杭要素を引き抜く前に前記杭要素を取り囲む土壌材料を緩めるように形成されている、請求項８に記載の装置。
【請求項１０】
前記杭要素を地面から前記第２掘削工具と共に引き抜くように設計された引き抜き装置が設けられた、請求項８に記載の装置。
【請求項１１】
前記引き抜き装置が、地面から前記第２掘削工具を前記杭要素と共に、回転を伴わずに引き出すように設計されている、請求項８に記載の装置。
【請求項１２】
前記引き抜き装置が、地面から前記第２掘削工具を前記杭要素と共に、具体的には、前記掘削回転方向とは反対の回転方向にねじることにより引き出すように設計されている、請求項８に記載の装置。
【請求項１３】
前記検出ユニットが少なくとも１つのセンサを含み、当該センサが、前記杭要素の位置データを測定し、且つ、当該データを前記検出ユニットに転送するように設計されている、請求項８に記載の装置。
【発明の詳細な説明】
【技術分野】
【０００１】
本発明は、請求項１に記載の、地面から杭要素を引き抜くための方法、及び、請求項８に記載の、地面から杭要素を引き抜くための装置に関する。
【背景技術】
【０００２】
建築手段のために以前に穴が開けられた地面に、例えば、ドリル穴、ダイヤフラム壁、又は、掘削ピット等を作成する場合、地面を再び使用する前に、古い要素、例えば、地中に挿入されている梁、杭（パイル）など（すなわち一般的に杭要素）を地面から除去することが必要である。これらの要素は、例えば、以前に取り壊された建物の基礎要素、或いは足場構造の一部であり得る。これらの要素は、具体的には地面下数メートルに位置することがあり、そのため、地表からこれらの位置を判断することは困難である。
【０００３】
このような杭要素は、通常、適切な工具を用いてボアホールを形成することにより除去される。従って、地中での杭要素の正確な位置を測定するために、複数の引き抜き掘削が、それぞれ、引き抜き工具を杭要素に到達させるために必要であろう。
【０００４】
杭要素を引き抜くための別の公知の変型例は、平坦な領域上の土壌材料を除去することである（例えば、基礎部を掘削して、少なくとも１つの杭要素を露出させるために）。しかし、地面を掘削するための工具が前記杭要素と接触する際に損傷することもあるため、これは不利とみなされる。さらに、杭要素を除去するために基礎工事を中断する必要があり、これが、既に開始されている建設工事に遅れを生じる場合がある。
関連する技術が、下記特許文献１、２に記載されている。
【先行技術文献】
【特許文献】
【０００５】
【特許文献１】欧州特許出願公開第０２０６３８４Ａ１号明細書
【特許文献２】米国特許出願公開第２００９／２６９１４４Ａ１号明細書
【発明の概要】
【発明が解決しようとする課題】
【０００６】
本発明の目的は、埋設されている杭要素を地中から引き抜くための、前記杭要素を確実に除去できる方法及び装置を明確に示すことである。
【課題を解決するための手段】
【０００７】
本発明によれば、この目的は、一方では、請求項１に記載の特徴を含む方法により達成され、他方では、請求項８に記載の特徴を含む配置により達成される。
【０００８】
有利な実施形態を、従属請求項、明細書及び図面に記載する。
【０００９】
地面から杭要素を引き抜くための本発明による方法は、地中の前記杭要素の位置及び／又は配置を検出ユニットにより測定するステップと、前記測定された位置及び／又は配置に従って、第１の掘削工具による第１のボアを、前記杭要素の上端に達するまで作成し、前記第１ボアが、外側ガイド管により覆われたボアとして実現されるステップと、前記第１掘削工具を引き抜くときに前記ガイド管が地中に残されるステップと、中空のドリルシャンクを有する第２の掘削工具を、前記ガイド管を通して前記杭要素まで運ぶステップと、前記杭要素を前記第２掘削工具により少なくとも部分的に外周掘削し、且つ、前記杭要素を前記ドリルシャンク内に取り込むステップと、前記外周掘削された杭要素を前記地面から引き抜くステップと、を特徴とする。
【００１０】
本発明の基本的な構想は、地中の杭要素の位置及び／又は配置を、前記杭要素を引き抜く前に測定し、前記測定された位置及び／又は配置に基づいて、前記杭要素を前記地面から引き抜くためのボアを作成することである。この場合、前記杭要素は、具体的に土壌により覆われ、また、好ましくは、数メートルの深さに位置し得る。
【００１１】
本発明の別の基本的な構想は、前記杭要素を地面から引き抜くために、地中にガイド管を、前記杭要素の少なくとも上まで導入し、このガイド管を通して工具を前記杭要素まで運び、当該工具を用いて前記杭要素を地面から引き抜くことである。
【００１２】
本発明は、基礎工事又は掘削工事を開始する前に１０メートル以上ものかなりの深さに部分的に既に存在し得るビーマ（梁）、杭などを建造物の地面から除去する、一定の需要に対処する。
【００１３】
前記杭要素の位置は、主に、地上から見て前記杭要素を地中に見つけることができる場所又は領域を示し得る。前記杭要素の配置は、前記杭要素が地中に位置する向きだけでなく、前記杭要素が位置する深さを具体的に示し得る。前記杭要素の地中での位置又は配置を、具体的に、設置されるセンサ（単数又は複数）に関して測定できる。
【００１４】
前記杭要素は、地中に、鉛直方向だけでなく、傾いた状態で（すなわち垂線から逸れた角度で）配置されている場合がある。この角度が、垂直に対して直角よりも小さいことが好ましい。特に好ましいのは、地中における前記杭要素の傾斜の角度が、鉛直方向（０度の傾斜角に対応）に対して最大で１０度であることである。
【００１５】
前記ガイド管は、好ましくは、前記第１掘削工具と共に、地中の、前記杭要素より上の領域に導入され、それにより、前記ガイド管は前記杭要素とほぼ平行に位置合わせされる。好ましくは、地面材料が除去され、ドリル穴から排出される。上面から前記ガイド管を通して見たときに、前記杭要素が前記ガイド管の円周内に位置するように前記ガイド管が位置合わせされることが特に好ましい。前記杭要素は、前記ガイド管の下端部より下に位置し得るが、前記ガイド管内に突出してもよい。好ましくは、少なくとも１つのセンサが、地中の、前記杭要素を囲む領域に導入され、当該少なくとも１つのセンサが、前記杭要素の測定された位置データを前記検出ユニットに送信する。
【００１６】
本発明の好ましいさらなる展開において、地中の前記杭要素の位置及び／又は配置を測定するために、前記杭要素を取り囲む領域に、少なくとも１つの音響ドリル穴を設けることが考えられ、この穴の内部に、少なくとも１つのセンサを導入する。このセンサは、前記検出ユニットに接続され、前記杭要素の位置及び／又は配置データを前記検出ユニットに提供し、これにより、前記検出ユニットが、前記杭要素の位置及び／又は配置を、前記提供されたデータに基づいて測定する。
【００１７】
主に、地中の前記杭要素の位置の測定は、前記検出ユニット接続された、少なくとも１つの任意の、しかし適切なセンサにより可能にされ得る。当該少なくとも１つのセンサは、例えば、強磁性測定（例えば、磁場測定の形態）を実行するように設計されることができ、前記杭要素の位置を、前記杭要素の強磁性体の割合（特に、前記杭要素の鉄含量）に基づいて測定し得る。また、地中の前記杭要素の位置を、地震探査法、又は、レーダ技術、Ｘ線測定、超音波を用いて、これに応じて調整されるセンサにより測定することも想定し得る。センサを、地中の前記杭要素の位置及び／又は配置を決定するための対応する測定方法のために、送信器及び受信器の両方として設計してもよい。
【００１８】
地中における杭要素の位置に加え、杭要素の配置を、前記少なくとも１つのセンサが設けられた前記検出ユニットにより測定し得る。この目的のために、複数の測定、特に２つの測定、好ましくは少なくとも３つの測定を、異なる地中深さのセンサで行うことができ、これにより、前記杭要素の配置を測定の大部分により判定できる。前記杭要素を取り囲む領域の異なる位置で導入できる少なくとも２つのセンサを地中に設けることが有利である。これらのセンサを、測定のために互いに対して地中の同じ深さに設置しても、また、異なる深さで設置してもよく、これが、地中の前記杭要素の位置及び／又は配置の特に正確な測定に寄与する。
【００１９】
本発明により、少なくとも３つのセンサを地中に導入すること、そして、導入されたセンサの、特に検出ユニットによる測定信号の三角測量又は組合せを用いて、地中の前記杭要素の配置及び／又は位置を特に正確に測定できることが特に好ましい。ここで、各場合に、複数の測定が３つのセンサにより行われ、少なくとも３つのセンサが、個々の測定において、互いに対して少なくとも類似の地中深さに設置されることが有利であろう。しかし、これらのセンサを一緒に、地中の前記杭要素に、異なる位置で、すなわち異なる深さに運ぶことも可能である。これは、前記杭要素の位置及び配置の両方の特に正確な測定にとって良好であろう。有利には、測定中に前記杭要素を、これらのセンサの少なくとも３つにより、特に均一に取り囲むことができ、前記少なくとも３つのセンサの少なくとも３つを、各々、１つの別々の音響ドリル穴に設置できる。センサを上下に重ねて配置することもでき、例えば、前記杭要素からそれぞれのセンサまでの距離を測定できる。前記杭要素と、それぞれ鉛直方向に配置されたセンサとの距離差の計算により、特に、前記杭要素の傾きを、設置したセンサを用いた単一の一括測定により簡単に測定できる。同様に、主に、各音響穴に１つの単一のセンサを用いることも考えられるが、傾斜の測定を可能にするためには、異なる深さの少なくとも１つのセンサを用いた少なくとも２つの測定が必要である。
【００２０】
本発明のさらなる展開によれば、少なくとも２つの杭要素の地中での位置及び配置を測定するために、少なくとも３つのセンサを設置することが特に有利である。これらのセンサは、地中に、上から地上を見たときに幾何学的形状（例えば、三角形、矩形又は多角形の形状）の角部を形成するように配置され得る。こうして、前記杭要素は、好ましくは、前記幾何学的形状内に（すなわち、センサにより取り囲まれて）配置される。前記杭要素の位置／配置を測定するために、前記センサの信号を前記検出ユニットにより分析できる。
【００２１】
前記センサは、少なくとも２つの前記杭要素（地中に配置され、且つ、少なくとも前記幾何形状の領域内に、１つずつ、又は同時に存在する）を測定するように形成されることができる。互いに対する前記少なくとも３つのセンサの位置は不変のままであり得る。これは、位置データポイントの各々（すなわち、特定深さの地中における複数の杭要素の各々の杭要素セクションの位置）を測定するためである。前記センサは、前記杭要素に沿って（すなわちほぼ鉛直方向に）高さが変位され得る。これにより、前記センサは、各々、それぞれの高さ又は深さにおいて、前記幾何学形状の領域内の全ての杭要素の１つの位置データポイントを測定できる。好ましくは、前記センサは、互いに対して水平方向に位置合わせされたままである。
【００２２】
本発明のさらなる適切な展開は、前記杭要素が、前記第２の掘削工具と共に前記ドリルシャンク内のガイド管を介して地面から引き抜かれることである。前記杭要素を、少なくとも部分的に第２の掘削工具の中空ドリルシャンク内に引き上げることができる。このとき、前記杭要素を取り囲む土壌材料は、前記ドリルシャンクのキャビティ内にも少なくとも部分的に含まれ得る。このようにして、前記中空ドリルシャンクに、前記杭要素と、前記含まれる土壌とをぴったりと埋め込むことができ、これが、前記杭要素を前記ドリルシャンク内に特に確実に付着することを可能にし得る。
【００２３】
本発明の特に効率的なさらなる適切な展開は、前記第２掘削工具が地面から前記杭要素と共に、ねじり(twisting)により引き出され、これにより、地中に出現する穴が少なくとも或る程度まで土壌材料で満たされることを提供する。地面から前記掘削工具を、ねじりにより引き出すことは、具体的に、前記掘削回転方向とは反対の方向にて行われ得る。このようにして、前記杭要素を外周掘削したときに上方に運ばれた土壌材料を、引き抜き中に出現するドリル穴に供給できる。このようにして、例えば、前記杭要素が引き抜かれるときに出現するドリル穴の崩壊を防止できる。
【００２４】
本発明のさらなる展開によれば、前記第２掘削工具が、地面から前記杭要素と共に回転を伴わずに引き出されることが有利である。このような、掘削工具の回転を伴わない引き出しは、例えば、掘削工具を取り付けることができるクレーンより提供され得る。
【００２５】
本発明による、地面から杭要素を引き抜くための装置は、マストが配置された掘削リグと、前記マストにて回転可能に駆動可能であるように配置され、且つ、前記杭要素の出口開口を形成するために地中に挿入可能なガイド管と、前記杭要素の上にある、少なくとも前記ガイド管内の土壌材料を除去するように配置された第１の掘削工具と、前記杭要素を少なくとも部分的に受け入れるように形成された中空のドリルシャンクを含む第２の掘削工具であって、前記ガイド管を通してほぼ同軸状に前記杭要素に運ばれることができる第２掘削工具と、地中の前記杭要素の位置及び／又は配置を測定するように設計された少なくとも１つの検出ユニットと、を提供することを特徴とする。
【００２６】
本発明による装置の好適なさらなる展開は、前記第１掘削工具及び／又は前記第２掘削工具がドリルフライトを含み、これにより、少なくとも前記第２掘削工具が、前記杭要素を引き抜く前に前記杭要素を取り囲む土壌材料を緩めるように形成されることを想定する。前記第１掘削工具及び前記第２掘削工具は、前記ガイド管内での掘削、又は、前記ガイド管を通して地面から前記杭要素を引き抜くことをそれぞれ可能にする任意の形状で実現され得る。前記杭要素の、地面からの、特にエネルギー効率の良い引き抜き、又は、回転による引き抜きのためには、引き抜きの前に前記杭要素周囲の土壌を、少なくとも前記第２掘削工具を用いて緩めることが好都合であろう。この目的のために、ドリルフライトが特に好適である。このようにして、例えば、前記杭要素と前記周囲地面との間の静摩擦を低減できる。
【００２７】
本発明による装置のさらなる展開によれば、前記杭要素を前記第２掘削工具と共に地面から引き抜くように設計された引き抜き装置を提供することが好ましい。具体的には、前記杭要素周囲の土壌の静摩擦を低減した後に、前記杭要素を地面から、特に小さな労力で引き抜くことが可能である。
【００２８】
本発明のさらなる展開によれば、前記引き抜き装置が、地面から前記第２の掘削工具を前記杭要素と共に、回転を伴わずに引き出すように設計されることが特に好ましい。この目的のために、前記掘削工具をクレーン又は他のリフティング装置に取り付けることができ、このような装置を用いて引き出すことができる。
【００２９】
本発明のさらなる展開によれば、前記引き抜き装置が、前記第２掘削工具を前記杭要素と共に地面から、具体的には前記掘削回転方向とは反対の回転方向にねじることにより引き出されるように設計されることが特に好都合である。可能な引き抜き装置は、例えば、回転アクチュエータであり、これは、好ましくは、前記第１掘削工具及び／又は第２掘削工具を地中に導入し、そして、前記第２掘削工具を前記杭要素と共にねじることにより地面から引き出すように配置される。
【００３０】
本発明のさらなる展開によれば、前記検出ユニットが、少なくとも１つのセンサを備え、当該センサが、前記杭要素の位置データを測定し、且つ、当該位置データを前記検出ユニットに転送するように配置されることが想定される。センサは前記杭要素を、特に、センサ特有の材料部分に基づいて認識し、前記測定データを前記検出ユニットに送信するように設計され得る。前記検出ユニットは、これらのデータに基づいて、前記杭要素の位置及び／又は配置を認識する。
【００３１】
前記センサの測定は、具体的には強磁性測定であってよく、この測定は、前記杭要素の強磁性材料の割合（特に、前記杭要素の鉄含有量）を認識する。この目的のために、具体的には、磁場測定を行うことができる。また、センサを、地震波、Ｘ線又は超音波を受信及び／又は送信するためのレーダ又はセンサとして設計することもでき、これは、地中の杭要素の位置及び配置を測定するのに有利であり得る。
【００３２】
本発明を、添付の概略的な図面を参照して、以下に、より詳細に説明する。図面は以下の通りである。
【図面の簡単な説明】
【００３３】
【図１】本発明による、地面から杭要素を引き抜く方法の好ましい実施形態を示す図である。
【発明を実施するための形態】
【００３４】
図１は、本発明による方法の好ましい実施形態を、一連の可能な個々のステップ（ステップ１〜９）により示す。杭要素１０を地面から引き抜く前に、最初に、杭要素１０の地中での位置及び／又は配置を確認する。杭要素１０は土で覆われているであろう。そして杭要素１０の上端は、具体的には１０ｍ以上もの深さに位置するかも知れない。地中での杭要素１０の位置及び配置を測定するために、少なくとも１つのセンサ２２を地中に導入できる。特に好ましいのは、少なくとも３つのセンサ２２を地中に導入し（ステップ１）、それにより、引き抜かれるべき杭要素が、上から見て少なくとも３つのセンサ２２により取り囲まれることである。これは、ステップ１に関する図において、地面の上方に円形で概略的に示され、３つの点が三角形を成している様子が明らかである。これにより、三角形の頂点は、地中でのセンサ２２の位置を表すことができ、三角形内の領域は、杭要素１０が地中で配置される領域を好都合に示す。
【００３５】
少なくとも１つのセンサ２２を、対応する装置、例えば掘削リグ２３を用いて地中に導入できる。この装置（すなわち、第１の掘削工具２１，第２の掘削工具３１を導入するための装置）３０が、より小さい寸法を有してもよい。少なくとも１つのドリル穴を、杭要素周囲に、少なくとも１つのセンサ２２のために、掘削リグ２３を用いて設けることができる。このドリル穴の直径は、具体的に、数センチメートルほどに小さくてよい。この少なくとも１つの小さいドリル穴に、少なくとも１つのセンサ２２を導入できる。
【００３６】
また、少なくとも１つのセンサ２２を、音響掘削のための掘削要素内に直接設置することも考えられる。この掘削要素は、少なくとも測定中には、少なくとも１つのセンサ２２と共に地中に残される。また、少なくとも１つのセンサ２２を地中に埋め込む(cave in)こともでき、これにより、少なくとも１つの杭要素の位置データを、少なくとも１つのセンサ２２の埋め込み中に既に測定できる。杭要素の位置及び／又は配置データを収集するために、少なくとも１つのセンサ２２に接続された検出ユニット２４を設け得る。少なくとも１つのセンサ２２の測定信号／データは検出ユニット２４に転送されることができ、検出ユニット２４は、杭要素の位置及び／又は配置を、それぞれ、測定された信号／データを用いて検出し測定する。
【００３７】
地中の杭要素１０の位置及び配置が測定されたならば、最初に、その位置にて、杭要素１０のライン(lined)掘削を行うことができ、また、それに対応して杭要素を傾けることができる。ライン掘削は、少なくとも杭要素１０の上部の深さまで行える（ステップ２）。ライン掘削により、少なくとも１つのガイド管２０を地中に導入することが可能であり、それにより、導入されたガイド管２０内に存在する土壌材料をボーリング管から、第１掘削工具２１により除去できる。ガイド管２０は、好ましくは、第１掘削工具２１と同時に且つ共に地中に導入される（ステップ２）。ガイド管２０は、杭要素１０の上端（すなわちヘッド端）の領域までガイドされることができ、或いは、杭要素１０を或る部分まで囲み込むこともできる。
【００３８】
ガイド管２０が所望の深さに達したならばすぐに、第１掘削工具２１をガイド管２０から、例えば掘削リグ３０を用いて引き出すことができる（ステップ３）。ガイド管２０の調節は、具体的に、センサ２２により測定された杭要素１０の位置及び／又は配置データを用いて、杭要素がガイド管２０の長手方向軸に対して同軸に位置合わせされるように行われ得る。
【００３９】
杭要素１０が、上面から見てガイド管２０の円周内に位置することが特に好ましい。別のステップ（ステップ４）において、第２の掘削工具３１をガイド管２０内に挿入することができ、掘削工具３１は、杭要素１０を少なくとも部分的に外周掘削（オーバードリル）できる。このために、第２掘削工具３１は中空のドリルシャンクを含み得る。中空ドリルシャンクは、少なくとも杭要素１０を、そしてまた、杭要素を取り囲む幾らかの土壌も受け入れることができる。杭要素１０が、第２掘削工具の中空ドリルシャンクと受け入れられた杭要素１０との間に十分な静摩擦を提供できるように十分に外周掘削されたならば、第２掘削工具３１を杭要素１０と共に、例えば、クレーン４０を用いて引き抜くことができる（ステップ５）。クレーン４０の代わりに、第２掘削要素３１を地面から、掘削リグにより引き抜くこともでき、これは例えば、掘削リグを用いて第１掘削ツール２１をガイド管２０と共に駆動させること、及び第２掘削工具３１を駆動させることと同様である。この目的のために、第２掘削工具３１を、掘削回転方向とは反対の方向に駆動でき、同時に地面から引き出せる。このようにして、杭要素１０の外側掘削時に上方に運ばれた土壌材料を、杭要素１０の引き抜き中に出現するドリル穴１１内にこの時点で戻すことができる。
【００４０】
ドリル穴１１は、特に、以前に杭要素１０が地中に埋め込まれていた領域を画定する（ステップ５）。地中に残っているガイド管２０を通して、ドリル穴１１に、例えば土壌又は他の充填材料を充填できる（ステップ６）。その後、ステップ７及びステップ８に示されているように、ガイド管２０を地面から引き抜くことができる。この目的のために、ガイド管２０を引き上げるための工具（例えば、第１掘削工具２１）をガイド管２０に挿入でき、この工具と共にガイド管２０を地面から引き抜くことができる。
【００４１】
次いで、ガイド管２０により予め支持されているドリル穴の領域に土壌材料を充填でき、これにより、ドリル穴周囲に土壌が陥没することを防止できる。基本的に、一連の手順ステップ（特に、杭要素１０の引出し／引抜き後）を変更してもよい。
【符号の説明】
【００４２】
１０  杭要素
１１  ドリル穴
２０  ガイド管
２１  第１の掘削工具
２２  センサ
２３  掘削リグ
３０  掘削リグ
３１  第２の掘削工具
【図１】
2018021444.tif 000003
【手続補正書】
【提出日】平成29年11月8日(2017.11.8)
【手続補正１】
【補正対象書類名】特許請求の範囲
【補正対象項目名】請求項２
【補正方法】変更
【補正の内容】
【請求項２】
前記地中における前記杭要素の位置及び／又は配置を測定するために、少なくとも１つの音響ボアホールを、前記杭要素を取り囲む領域に設け、当該ボアホール内に少なくとも１つのセンサを導入し、当該センサが前記検出ユニットに接続され、且つ前記杭要素の位置及び／又は配置データを前記検出ユニットに提供し、これにより、前記検出ユニットが、前記杭要素の位置及び／又は配置を、前記提供されたデータに基づいて測定する、請求項１に記載の方法。
【外国語明細書】
2018021444.tif 000004
2018021444.tif 000005
2018021444.tif 000006
2018021444.tif 000007
2018021444.tif 000008
2018021444.tif 000009
2018021444.tif 000010
2018021444.tif 000011
2018021444.tif 000012
2018021444.tif 000013
2018021444.tif 000014
2018021444.tif 000015
2018021444.tif 000016
2018021444.tif 000017
2018021444.tif 000018